(57)【要約】【課題】消費電力が低減されたうえで、不要な報知の繰り返しが抑制された狭域無線通信装置の提供。【解決手段】アイドルストップ機能を有する内燃機関を搭載した車両において、ＩＣカードインターフェース５０に挿入されたＩＣカード１５に記憶された情報にアクセスし、情報に関連した狭域無線通信処理を車両外部の路側機との間で行うＥＴＣ車載器１００であって、ＩＣカードインターフェース５０においてＩＣカード１５が検知されているか否かに関する旨を使用者に報知するものである。ＥＴＣ車載器１００は、アイドルストップ情報取得部３０によって取得されたアイドルストップ情報に基づいて、内燃機関の始動がアイドルストップ後の始動であると判定した場合に、使用者への報知を停止する。加えて、ＥＴＣ車載器１００への電力供給の開始及び停止は、内燃機関の始動及び停止に応じて実施される。【選択図】図３
2011238184.tif 000002
【特許請求の範囲】
【請求項１】
車両の状態が予め定められた停止条件を満たすと一時停止する内燃機関を備える前記車両において、記憶媒体挿入部に挿入された記憶媒体に記憶された情報にアクセスし、前記情報に関連した狭域無線通信処理を前記車両の外部の路側機との間で行う狭域無線通信装置であって、
アクセス可能な前記記憶媒体が前記記憶媒体挿入部に挿入されているか否かを検知する検知手段と、
前記内燃機関の始動及び停止に応じて、前記狭域無線通信装置への電力供給の開始及び停止をする電力供給手段と、
前記電力供給手段による電力の供給が開始されると、前記内燃機関の始動が一時停止からの始動であるか否かの始動情報を取得する始動情報取得手段と、
前記電力供給手段による電力の供給が開始されると、前記検知手段が前記記憶媒体を検知しているか否かの検知情報を取得し、前記記憶媒体が検知されているか否かの旨を前記車両の使用者に報知する報知手段であって、前記使用者への報知前において、前記始動情報取得手段によって取得された当該始動情報に基づいて前記内燃機関の始動が一時停止からの始動であると判定した場合に、前記使用者への報知を停止する報知手段と、を備えることを特徴とする狭域無線通信装置。
【請求項２】
請求項１に記載の狭域無線通信装置において、
前記始動情報取得手段は、前記内燃機関が備える当該内燃機関の始動及び停止を制御する機関制御装置から前記始動情報を取得することを特徴とする狭域無線通信装置。
【請求項３】
請求項１又は２に記載の狭域無線通信装置において、
前記内燃機関が停止すると、前記内燃機関の停止が一時停止であるか否かの停止情報を取得する停止情報取得手段をさらに備え、
前記報知手段は、前記内燃機関が停止すると、前記検知情報を取得し前記記憶媒体が検知されている場合にその旨を前記車両の使用者に報知するものであって、前記使用者への報知前において、前記停止情報取得手段によって取得された当該停止情報に基づいて前記内燃機関の停止が一時停止であると判定した場合に、前記使用者への報知を停止することを特徴とする狭域無線通信装置。
【請求項４】
請求項３に記載の狭域無線通信装置において、
前記停止情報取得手段は、前記内燃機関が備える当該内燃機関の始動及び停止を制御する機関制御装置から前記停止情報を取得することを特徴とする狭域無線通信装置。
【請求項５】
請求項１〜４のいずれか一項に記載の狭域無線通信装置において、
前記電力供給手段は、前記内燃機関が備える当該内燃機関の始動及び停止を制御する機関制御装置から、当該内燃機関が稼動状態にあるのか停止状態にあるのかの稼動情報を取得し、前記稼動情報に基づいて前記内燃機関が停止状態にあると判定している場合に、前記狭域無線通信装置への電力供給を停止することを特徴とする狭域無線通信装置。
【請求項６】
請求項５に記載の狭域無線通信装置において、
前記電力供給手段は、前記車両に搭載されたバッテリと接続され、前記狭域無線通信装置に供給する電力を前記バッテリから受け、前記稼動情報に基づいて前記内燃機関が稼動状態にあると判定している場合に、前記バッテリからの電力を前記狭域無線通信装置へ供給することを特徴とする狭域無線通信装置。
【請求項７】
請求項１〜６のいずれか一項に記載の狭域無線通信装置において、
前記報知手段は、前記記憶媒体が検知されていない場合にその旨の報知を音声によって前記使用者に行うことを特徴とする狭域無線通信装置。
【発明の詳細な説明】
【技術分野】
【０００１】
車両において、記憶媒体挿入部に挿入された記憶媒体に記憶された情報にアクセスし、当該情報に関連した狭域無線通信処理を車両の外部の路側機との間で行う狭域無線通信装置に関する。
【背景技術】
【０００２】
従来、車両に搭載される狭域無線通信装置において、当該装置への電力の供給及び停止を行う電力供給手段と、記憶媒体を検知する検知手段と、検知手段による記憶媒体の検知情報を車両の使用者に報知する報知手段とを備えるものが知られている。このような狭域無線通信装置の一例がＥＴＣ（Ｅｌｅｃｔｒｏｎｉｃ  Ｔｏｌｌ  Ｃｏｌｌｅｃｔｉｏｎ  登録商標）の車載器である。ＥＴＣの車載器では、電力供給手段による電力の供給が開始されると、検知手段は、カードリーダに挿入された記憶媒体としてのＩＣカードにアクセス可能か否かを検知する。報知手段は、検知手段がＩＣカードを検知しているか否かの検知情報を取得し、検知されていない場合にはその旨を、また検知している場合にはその旨を、それぞれ車両の使用者に報知する。
【０００３】
さて、近年、車両の状態が予め定められた停止条件を満たすと一時停止する、所謂アイドルストップ機能を備える内燃機関を搭載した車両の普及が著しい。このような車両に搭載された車載器は、アイドルストップによって内燃機関が一時停止した後、内燃機関が再び始動された際にも、報知手段によってＩＣカードが検知さているか否かに関する検知情報の報知を行ってしまう場合がある。すると、アイドルストップが行われる度に車両の使用者に報知が繰り返される事態が生じ得る。
【０００４】
このような事態を回避するため、特許文献１に開示の車載器は、車両に搭載された内燃機関が動作中であるか否かを判定し、ＩＣカードが検知されているか否かに関する使用者への報知を停止することができる。具体的には、特許文献１に開示の車載器は、内燃機関が停止された後、再び始動されるまでの時間を計測し、当該時間が所定の閾値以内であるか否かによって、アイドルストップ後の再始動であるか、内燃機関の動作が完全に停止した後の始動であるかを判定する。アイドルストップが内燃機関の一時停止であることによれば、アイドルストップ後に再始動されたときは、報知手段による使用者への報知は成されない。これにより、車載器から不要な報知が繰り返される事態は抑制されるのである。
【先行技術文献】
【特許文献】
【０００５】
【特許文献１】特開２００８−２８７４２１号公報
【発明の概要】
【発明が解決しようとする課題】
【０００６】
さて、特許文献１に開示の車載器では、内燃機関の停止から再始動までの時間を計測する必要がある。故に、電力供給手段は、狭域無線通信装置への電力供給を、アイドルストップによる内燃機関の停止に応じて、停止させることができない。故に、車両の状態が予め定められた停止条件を満たすことにより、内燃機関が一時停止している場合であっても、狭域無線通信装置への電力供給は継続される必要がある。故に、エネルギーの消費量を低減する目的で内燃機関を一時停止させているにもかわらず、狭域無線通信装置の電力消費量は高いままであった。
【０００７】
本発明は、上記問題点に鑑みてなされたものであって、消費電力が低減されたうえで、不要な報知の繰り返しが抑制された狭域無線通信装置を提供することを目的とする。
【課題を解決するための手段】
【０００８】
上記目的を達成するために、請求項１に記載の発明では、車両の状態が予め定められた停止条件を満たすと一時停止する内燃機関を備える車両において、記憶媒体挿入部に挿入された記憶媒体に記憶された情報にアクセスし、情報に関連した狭域無線通信処理を車両の外部の路側機との間で行う狭域無線通信装置であって、アクセス可能な記憶媒体が記憶媒体挿入部に挿入されているか否かを検知する検知手段と、内燃機関の始動及び停止に応じて、狭域無線通信装置への電力供給の開始及び停止をする電力供給手段と、電力供給手段による電力の供給が開始されると、内燃機関の始動が一時停止からの始動であるか否かの始動情報を取得する始動情報取得手段と、電力供給手段による電力の供給が開始されると、検知手段が記憶媒体を検知しているか否かの検知情報を取得し、記憶媒体が検知されているか否かの旨を車両の使用者に報知する報知手段であって、使用者への報知前において、始動情報取得手段によって取得された当該始動情報に基づいて内燃機関の始動が一時停止からの始動であると判定した場合に、使用者への報知を停止する報知手段と、を備えることを特徴とする。
【０００９】
この発明によれば、狭域無線通信装置が備える検知手段、始動情報取得手段、報知手段等への電力供給は、電力供給手段によって、内燃機関の始動及び停止に応じて開始及び停止される。故に、車両の状態が予め定められた停止条件を満たすことにより内燃機関が一時停止された場合には、狭域無線通信装置への電力の供給も停止される。故に、狭域無線通信装置の消費電力を低減することができる。
【００１０】
また、内燃機関が一時停止から始動されると、電力供給手段は、狭域無線通信装置への電力の供給を開始する。この電力供給手段による電力供給の開始により、検知手段は、アクセス可能な記憶媒体が記憶媒体挿入部に挿入されているか否かを検知することができる。また、電力供給手段による電力の供給が開始されると、始動情報取得手段は、内燃機関の始動が一時停止からの始動であるか否かの始動情報を内燃機関から取得する。
【００１１】
加えて、電力供給手段による電力の供給が開始されると、報知手段は、検知手段が記憶媒体を検知しているか否かの検知情報を検知手段から受け取る。報知手段は、記憶媒体が検知されているか否かの旨を使用者に報知する前に、始動情報取得手段によって取得された始動情報に基づいて内燃機関の始動が一時停止からの始動であるか否かを判定する。内燃機関の始動が一時停止からの始動であると判定した場合に、報知手段は、記憶媒体が検知されているか否かについての使用者への報知を停止する。故に、内燃機関が一時停止から始動されたときは、報知手段による使用者への報知は成されない。これにより、内燃機関の一時停止の後において、狭域無線通信装置から、不要な報知が繰り返される事態は抑制される。
【００１２】
以上により、消費電力が低減されたうえで、不要な報知の繰り返しが抑制された狭域無線通信装置を実現できる。
【００１３】
請求項２に記載の発明では、始動情報取得手段は、内燃機関が備える当該内燃機関の始動及び停止を制御する機関制御装置から始動情報を取得することを特徴とする。
【００１４】
この発明によれば、内燃機関の始動及び停止を制御している機関制御装置による始動情報は正確である蓋然性が高い。故に、始動情報取得手段が機関制御装置から正確な始動情報を取得できることにより、報知手段は、内燃機関の始動が一時停止からの始動である場合に、使用者への報知を確実に停止できる。したがって、内燃機関の一時停止の後において、狭域無線通信装置から不要な報知が繰り返される事態は確実に防がれ得る。
【００１５】
請求項３に記載の発明では、内燃機関が停止すると、内燃機関の停止が一時停止であるか否かの停止情報を取得する停止情報取得手段をさらに備え、報知手段は、内燃機関が停止すると、検知情報を取得し、記憶媒体が検知されている場合にその旨を車両の使用者に報知するものであって、使用者への報知前において、停止情報取得手段によって取得された当該停止情報に基づいて内燃機関の停止が一時停止であると判定した場合に、使用者への報知を停止することを特徴とする。
【００１６】
この発明によれば、内燃機関が停止すると、報知手段は、記憶媒体が検知されている旨を使用者に報知する前に、停止情報取得手段によって取得された停止情報に基づいて内燃機関の停止が一時停止であるか否かを判定する。内燃機関の停止が一時停止であると判定した場合に、報知手段は、記憶媒体が検知されている旨の使用者への報知を停止する。故に、記憶媒体が検知手段によって検知されている場合において、内燃機関が一時停止されたときは、報知手段による使用者への報知は成されない。これにより、内燃機関が一時停止した場合においても、狭域無線通信装置から、不要な報知が繰り返される事態は抑制される。
【００１７】
請求項４に記載の発明では、停止情報取得手段は、内燃機関が備える当該内燃機関の始動及び停止を制御する機関制御装置から停止情報を取得することを特徴とする。
【００１８】
この発明によれば、内燃機関の始動及び停止を制御している機関制御装置による停止情報は正確である蓋然性が高い。故に、停止情報取得手段が機関制御装置から正確な停止情報を取得できることにより、報知手段は、内燃機関の停止が一時停止である場合に、使用者への報知を確実に停止できる。したがって、内燃機関が一時停止した場合において、狭域無線通信装置から不要な報知が繰り返される事態は確実に防がれ得る。
【００１９】
請求項５に記載の発明では、電力供給手段は、内燃機関が備える当該内燃機関の始動及び停止を制御する機関制御装置から、当該内燃機関が稼動状態にあるのか停止状態にあるのかの稼動情報を取得し、稼動情報に基づいて内燃機関が停止状態にあると判定している場合に、狭域無線通信装置への電力供給を停止することを特徴とする。
【００２０】
この発明によれば、内燃機関の始動及び停止を制御する機関制御装置からの稼動情報は、当該内燃機関が稼動状態にあるか停止状態にあるのかを正確に示し得る。故に、機関制御装置から取得した稼動情報に基づくことによれば、内燃機関が一時停止されて停止状態となった場合に、電力供給手段は、狭域無線通信装置への電力供給を確実に停止させられる。したがって、狭域無線通信装置の消費電力の低減は、確実に図られ得る。
【００２１】
請求項６に記載の発明では、電力供給手段は、車両に搭載されたバッテリと接続され、狭域無線通信装置に供給する電力をバッテリから受け、稼動情報に基づいて内燃機関が稼動状態にあると判定している場合に、バッテリからの電力を狭域無線通信装置へ供給することを特徴とする。
【００２２】
この発明によれば、内燃機関が一時停止状態から始動されて稼動状態となった場合に、電力供給手段は、内燃機関からの正確な稼動情報に基づいて、狭域無線通信装置への電力供給を開始する。ここで車両に搭載されたバッテリと接続される電力供給手段は、内燃機関が稼動状態にあるのか停止状態にあるのかにかかわらず、狭域無線通信装置に供給可能な電力をバッテリから受けている。故に電力供給手段は、内燃機関が稼動状態にあるという旨の稼動情報を取得すると、遅滞無く狭域無線通信装置への電力供給を開始することができる。以上により、消費電力の低減が図られた狭域無線通信装置であっても、内燃機関の稼働状態下における使い勝手の悪化は抑制される。
【００２３】
請求項７に記載の発明では、報知手段は、記憶媒体が検知されていない場合にその旨の報知を音声によって使用者に行うことを特徴とする。
【００２４】
この発明によれば、音声による報知は、使用者にとって知覚し易い反面、繰り返された場合には煩わしく感じられ易い。故に、内燃機関の一時停止後における報知を停止し、不要な報知が繰り返される事態を防ぎ得る効果は、記憶媒体が検知できない旨の報知を音声によって使用者に行う狭域無線通信装置において、有効に発揮されるのである。
【図面の簡単な説明】
【００２５】
【図１】本発明の一実施形態によるＥＴＣ車載器が車載された状態における電気的な接続を示すブロック図である。
【図２】本発明の一実施形態によるＥＴＣ車載器のブロック図である。
【図３】内燃機関がアイドルストップから始動した際に、ＥＴＣ車載器の制御部が行う処理を示すフローチャートである。
【図４】ＩＣカードがＥＴＣ車載器に挿入されている状態下、内燃機関がアイドルストップから始動した際に、ＥＴＣ車載器の制御部が行う処理を示すフローチャートである。
【図５】ＩＣカードがＥＴＣ車載器に挿入されている状態下、内燃機関が停止した際に、ＥＴＣ車載器の制御部が行う処理を示すフローチャートである。
【発明を実施するための形態】
【００２６】
以下、本発明をＥＴＣ車載器１００に適用した場合の一実施形態について図１〜図５に基づいて説明する。
【００２７】
図１は、車両におけるＥＴＣ車載器１００の電気的な接続を示すブロック図である。ＥＴＣ車載器１００が搭載される車両の内燃機関は、アイドルストップ機能を備ええている。具体的にアイドルストップ機能とは、車両の状態が予め定められた停止条件、例えば車両の走行速度がゼロであるという条件を満たすと、内燃機関が一時停止するものである。ＥＴＣ車載器１００は、上述したような車両において、アイドルストップ制御部１０及びバッテリ１１と接続されている。
【００２８】
アイドルストップ制御部１０は、内燃機関の始動及び停止を制御する。内燃機関が備え当該内燃機関に関する種々の制御を行う制御装置は、プログラムを実行することによってこのアイドルストップ制御部１０の機能を果たしている。アイドルストップ制御部１０は、車両の使用者によって操作可能なイグニッションスイッチ１２と接続されている。内燃機関の停止状態下、イグニッションスイッチ１２が車両の使用者によって操作されると、アイドルストップ制御部１０は、内燃機関を始動させる。また、内燃機関の稼動状態下、イグニッションスイッチ１２が車両の使用者によって操作されると、アイドルストップ制御部１０は、内燃機関を停止させる。加えて、内燃機関の稼動状態下、車両の状態が予め定められた停止条件を満たした場合にも、アイドルストップ制御部１０は、内燃機関を一時停止させる。この一時停止の場合、例えば車両の使用者がアクセルペダル（図示しない）を操作することにより、アイドルストップ制御部１０は、内燃機関を再び始動させる。
【００２９】
尚、アイドルストップ制御部１０によって内燃機関の始動が開始された時点から、当該内燃機関の停止が開始される時点までを内燃機関の稼動状態とする。一方、稼動状態でない状態を内燃機関の停止状態とする。
【００３０】
アイドルストップ制御部１０は、ＥＴＣ車載器１００と二系統で接続されている。二系統のうちの一方の接続は、Ｈｉ／Ｌｏの出力信号を伝達する信号線によるものである。この一方の接続は、内燃機関の始動及び停止に係わる稼動情報であって、内燃機関が稼動状態にあるのか停止状態にあるのかを示す稼動情報を伝達する。この一方の接続における信号線には、例えば内燃機関が稼動状態にある場合にはＨｉ、内燃機関が停止状態にある場合にはＬｏの信号が出力される。ＥＴＣ車載器１００は、この一方の接続によるＨｉ／Ｌｏの出力による稼動情報を取得する。
【００３１】
二系統のうちの他方は、車内Ｌｏｃａｌ  Ａｒｅａ  Ｎｅｔｗｏｒｋ（ＬＡＮ）を介した接続である。アイドルストップ制御部１０は、車両のアイドルストップに関するアイドルストップ情報を車内ＬＡＮ上に配信する。このアイドルストップ情報には、内燃機関が停止された際に、その内燃機関の停止が、車両の使用者によりイグニッションスイッチ１２が操作されたことによる停止なのか、アイドルストップによる一時停止なのかという情報が含まれる。加えてアイドルストップ情報には、内燃機関が始動された際に、その内燃機関の始動が、車両の使用者によりイグニッションスイッチ１２が操作されたことによる始動なのか、アイドルストップ後の始動なのかという情報が含まれる。ＥＴＣ車載器１００は、このアイドルストップ情報を車内ＬＡＮから取得する。
【００３２】
尚、これらのアイドルストップ制御部１０から出力されるアイドルストップ情報及び稼動情報は、主に車両の室内に設置されたコンビネーションメータによって取得され、アイドルストップに関する情報を車両の使用者に報知するために用いられる。
【００３３】
バッテリ１１は、車両に搭載された蓄電池である。バッテリ１１は、ＥＴＣ車載器１００が作動可能な電力を当該ＥＴＣ車載器１００に供給する。
【００３４】
次に、ＥＴＣ車載器１００の電気的構成を図２に基づいて説明する。図２は、ＥＴＣ車載器１００の電気的構成を示すブロック図である。
【００３５】
ＥＴＣ車載器１００は、電源部２０、アイドルストップ情報取得部３０、通信回路部４０、アンテナ４１、ＩＣカードインターフェース５０、制御部６０、音声制御部７０、及びスピーカ８０を有している。ＥＴＣ車載器１００は、ＩＣカードインターフェース５０にＩＣカード１５が挿入されると、ＩＣカードインターフェース５０に挿入されたＩＣカード１５に記憶された情報にアクセスする。ＥＴＣ車載器１００は、ＩＣカード１５に記憶された情報に関連した狭域無線通信処理を車両の外部の路側機との間で行う。ＥＴＣ車載器１００は、Ｄｅｄｉｃａｔｅｄ  Ｓｈｏｒｔ  Ｒａｎｇｅ  Ｃｏｍｍｕｎｉｃａｔｉｏｎ（ＤＳＲＣ）車載器の一種である。
【００３６】
電源部２０は、バッテリ１１及びアイドルストップ制御部１０と接続されている。電源部２０は、内燃機関の始動及び停止に応じて、ＥＴＣ車載器１００の電気的構成要素であるアイドルストップ情報取得部３０、通信回路部４０、ＩＣカードインターフェース５０、制御部６０等への電力供給の開始及び停止を行う。具体的には、車両に搭載されたバッテリと接続された電源部２０は、内燃機関が停止状態下であっても、ＥＴＣ車載器１００に供給する電力をバッテリ１１から受けている。電源部２０は、アイドルストップ制御部１０から信号線を通じて取得した稼動情報に基づいて、内燃機関が稼動状態にあると判定している場合に、バッテリ１１からの電力をＥＴＣ車載器１００の各構成要素へ供給する。一方、電源部２０は、稼動情報に基づいて内燃機関が停止状態にあると判定している場合に、各構成要素へのバッテリ１１からの電力供給を停止する。尚、電源部２０は、各構成要素が夫々の機能を終了させるために必要な処理を終了するまでの間は、バッテリ１１から受ける電力の供給を継続する。具体的には、ＩＣカードインターフェース５０がＩＣカード１５への情報を書き込む処理を行っている間、電源部２０はＩＣカードインターフェース５０への電力の供給を継続する。このような各構成要素におけるＥＴＣ車載器１００の電源ＯＦＦのための処理が終了した後、電源部２０は、各構成要素への電力の供給を停止する。
【００３７】
アイドルストップ情報取得部３０は、車内ＬＡＮに接続されており、車内ＬＡＮを介してアイドルストップ制御部１０によって配信されたアイドルストップ情報を取得する。アイドルストップ情報取得部３０は、電源部２０による電力の供給が開始されると、アイドルストップ制御部１０から、内燃機関の始動が一時停止からの始動であるか否か、即ちアイドルストップ後の再始動であるか否かの情報を含むアイドルストップ情報を取得する。またアイドルストップ情報取得部３０は、内燃機関が停止すると、内燃機関の停止が一時停止であるか否か、即ちアイドルストップ中であるか否かの情報を含むアイドルストップ情報を取得する。アイドルストップ情報取得部３０は、これらのアイドルストップ情報が取得されるまで、この取得の処理を繰り返す。アイドルストップ情報取得部３０によって取得されたアイドルストップ情報は、制御部６０に出力される。
【００３８】
通信回路部４０は、小片上のアンテナ４１を介して路側機との間で５．８ＧＨｚ帯の電波信を用いて通信を行うための構成である。通信回路部４０は、路側機から受信した電波信号から情報を復調して制御部６０に出力する。また、通信回路部４０は、制御部６０から入力された情報を変調して路側機に送信する。尚、路側機としては、高速道路のＥＴＣゲートに設けられたものの他、駐車場の料金ゲート及びガソリンスタンド等に設けられるものが挙げられる。
【００３９】
ＩＣカードインターフェース５０は、ＩＣカード挿入部（図示しない）に挿入さＩＣカード１５に記憶された情報にアクセスし、当該情報を読み書きするリーダライタである。ＥＴＣ車載器１００におけるＩＣカードインターフェース５０に挿入されるＩＣカード１５は、料金決済を行うためのカードであって、決算情報等を記憶している。ＩＣカードインターフェース５０は、アクセス可能なＩＣカード１５が挿入されているか否かを検知し、その検知情報を制御部６０に出力する。
【００４０】
制御部６０は、ＣＰＵ、ＲＯＭ、ＲＡＭ、Ｉ／Ｏ、及びこれらを接続するバスラインを有する、例えばマイコン等の演算装置である。制御部６０は、ＥＴＣ車載器１００の作動に関する各種のプログラムを実行する。制御部６０は、プログラムの実行により、アイドルストップ情報取得部３０、通信回路部４０、ＩＣカードインターフェース５０等に指令を出し、これらを制御する。尚、制御部６０は、車両に搭載されたカーナビ等の他の演算装置がプログラムを実行することによってなる機能ブロックであってもよく、又はプログラムの実行に拠らない専用の電気回路であってもよい。
【００４１】
音声制御部７０及びスピーカ８０は、ＩＣカードインターフェース５０がＩＣカード１５を検知しているか否かの検知情報に基づき、ＩＣカード１５が検知されているか否かの情報を車両の使用者に報知するための構成である。具体的には、内燃機関が始動されると、ＩＣカード１５が検知されていない場合にはその旨を示す警告音声を、ＩＣカード１５が検知されている場合にはその旨を示す確認の音声を、音声制御部７０及びスピーカ８０は発話する。加えて、内燃機関が停止されると、ＩＣカード１５が検知されている場合には、ＩＣカード１５を抜き忘れている旨を示す音声を、音声制御部７０及びスピーカ８０は発話する。音声制御部７０は、制御部６０による指令に基づいて、予め格納されている上述したような音声のデータを再生し、スピーカ８０から発信する。  次に、ここまで説明したＥＴＣ車載器１００が、起動後にＩＣカード１５の有無を確認し、車両の使用者に、その旨を報知する処理を、図３及び図４に示すフローチャートに基づいて説明する。
【００４２】
図３に示す処理は、ＩＣカード１５がＩＣカードインターフェース５０に挿入されていない旨を使用者に報知するためのものである。図３に示す処理は、イグニッションスイッチ１２の操作によるものか否かにかかわらず、アイドルストップ制御部１０が内燃機関を始動させることにより、制御部６０によって実行される。具体的には、電源部２０に接続された信号線の出力が、内燃機関の始動によりＬｏからＨｉへと切り替わり、当該電源部２０がＥＴＣ車載器１００の各構成要素に電力を供給することにより、以下の処理は開始される。
【００４３】
まず図３に示す処理のステップＳ１０１では、アイドルストップ制御部１０からの稼動情報に基づいて電源部２０からＥＴＣ車載器１００への電力供給が開始されると、演算を開始するための準備処理として、ＲＡＭデータのクリア等のイニシャル処理を行う。このイニシャル処理を終えると、ステップＳ１０２に進む。
【００４４】
ステップＳ１０２では、アイドルストップ制御部１０によって車内ＬＡＮに配信されるアイドルストップ情報を、アイドルストップ情報取得部３０に取得させる。このアイドルストップ情報は、内燃機関の始動が一時停止からの始動であるか否か、即ちアイドルストップ後の再始動であるか否かというものである。このアイドルストップ情報の取得は、当該情報が取得されるまでアイドルストップ情報取得部３０によって繰り返される。アイドルストップ情報取得部３０によってアイドルストップ情報が取得され、当該情報受け取ることにより、ステップＳ１０３に進む。
【００４５】
ステップＳ１０３では、ＩＣカード１５の状態を報知するか否かを判定するためのタイマを設定し、当該タイマのカウントを開始する。このタイマのカウントは、ＩＣカード１５の認証が完了することにより停止される（図４の示す処理のステップＳ２０２参照）。ステップＳ１０３においてカウントを開始すると、ステップＳ１０４に進む。
【００４６】
ステップＳ１０４では、ＩＣカードインターフェース５０によってＩＣカード１５が認証されることにより、タイマが停止しているか否かを判定する。タイマが停止していた場合、ＩＣカードインターフェース５０にＩＣカード１５が挿入されていると推定し、処理を終了する。一方、タイマが停止していない場合、カウントを継続し、ステップＳ１０５に進む。
【００４７】
ステップＳ１０５では、タイマのカウント開始から一定の時間が経過した場合に、タイムアウトと判定し、ＩＣカードインターフェース５０にＩＣカード１５の検知処理を打ち切らせる。このステップＳ１０５において、タイムアウトと判定した場合、ステップＳ１０７に進む。一方、ステップＳ１０５において、タイマのカウントが所定の値に達することなく、タイムアウトと判定しない場合には、ステップＳ１０６に進む。
【００４８】
ステップＳ１０６では、ＩＣカードインターフェース５０によるＩＣカード１５の検知を継続させるため、タイマを再設定する。具体的には、タイマのカウントの値を、ステップＳ１０３において設定した初期の値に戻す、又は所定の値だけ減らし、ステップＳ１０４に戻す。
【００４９】
ステップＳ１０７では、ステップＳ１０２において取得したアイドルストップ情報に基づいて、内燃機関の始動がアイドルストップからの始動であるか否かを判定する。内燃機関の始動がアイドルストップからの始動であると判定した場合に、処理を終了する。一方、アイドルストップからの始動ではなく、イグニッションスイッチ１２の操作による始動であると判定した場合に、ステップＳ１０８に進む。
【００５０】
ステップＳ１０８では、ＩＣカード１５の状態、即ちＩＣカード１５が挿入されていない旨を、音声制御部７０及びスピーカ８０に警告音声を発話させることにより、車両の使用者に報知する。そして、処理を終了する。
【００５１】
次に図４に示す処理について説明する。図４に示す処理は、ＩＣカード１５がＩＣカードインターフェース５０に挿入されている旨を使用者に報知するためのものであり、図３に示す処理とともに、制御部６０によって実行される。図４に示す処理は、イグニッションスイッチ１２の操作によるものか否かにかかわらず、アイドルストップ制御部１０が内燃機関を始動させた後、ＩＣカードインターフェース５０によってＩＣカード１５の検知情報が取得されることにより実行される。
【００５２】
ステップＳ２０１では、ＩＣカードインターフェース５０に指令を出し、ＩＣカード１５に記憶された情報を取得させる。ステップＳ２０１において、当該ＩＣカード１５の認証処理等を終わらせると、ステップＳ２０２に進む。
【００５３】
ステップＳ２０２では、図３で示す処理のステップＳ１０３において設定したタイマを停止し、ステップＳ２０３に進む。ステップＳ２０３では、図３で示す処理のステップＳ１０７と同様に、制御部６０に出力されたアイドルストップ情報に基づいて、内燃機関の始動がアイドルストップからの始動であるか否かを判定する。内燃機関の始動がアイドルストップからの始動であると判定した場合に、処理を終了する。一方ステップＳ２０３において、アイドルストップからの始動ではなく、イグニッションスイッチ１２の操作による始動であると判定した場合に、ステップＳ２０４に進む。
【００５４】
ステップＳ２０４では、ＩＣカード１５の状態、即ちＩＣカード１５が挿入されている旨を、音声制御部７０及びスピーカ８０に確認の音声を発話させることによって、車両の使用者に報知する。そして、処理を終了する。
【００５５】
次に、ＥＴＣ車載器１００がＩＣカード１５の抜き忘れを車両の使用者に報知する処理を、図５に示すフローチャートに基づいて説明する。この図５に示す処理は、ＩＣカードインターフェース５０に認証可能なＩＣカード１５が挿入されていた場合に、制御部６０によって実行される。この図５に示す処理は、イグニッションスイッチ１２の操作によるものか否かにかかわらず、アイドルストップ制御部１０が内燃機関を停止させることにより、制御部６０によって実行される。
【００５６】
ステップＳ３０１では、電源部２０に接続された信号線の出力が内燃機関の停止によりＨｉからＬｏへと切り替えられたという情報を、電源部２０から取得する。そして、信号線の出力が予め定められた電位を下回る等の所定の条件を満たすことにより、ＥＴＣ車載器１００の電源をＯＦＦにすべきと判定し、ステップＳ３０２に進む。一方、信号線の出力が所定の条件を満たさない場合、ステップＳ３０１を繰り返す。
【００５７】
ステップＳ３０２では、アイドルストップ制御部１０によって車内ＬＡＮに配信されるアイドルストップ情報を、アイドルストップ情報取得部３０に取得させる。このアイドルストップ情報は、内燃機関の停止が、車両の使用者によりイグニッションスイッチ１２が操作されたことによる停止なのか、アイドルストップによる一時停止なのかというものである。このアイドルストップ情報の取得は、当該情報が取得されるまでアイドルストップ情報取得部３０によって繰り返される。アイドルストップ情報取得部３０によってアイドルストップ情報が取得され、当該情報受け取ることにより、ステップＳ３０３に進む。
【００５８】
ステップＳ３０３では、制御部６０に出力されたアイドルストップ情報に基づいて、内燃機関の停止が一時停止であるか否かを判定する。内燃機関の停止がアイドルストップによる一時停止であると判定した場合に、処理を終了する。一方ステップＳ３０３において、内燃機関の停止が、アイドルストップによる一時停止ではなく、イグニッションスイッチ１２の操作による停止であると判定した場合に、ステップＳ３０４に進む。
【００５９】
ステップＳ３０４では、ＩＣカード１５の状態、即ちＩＣカード１５をＩＣカードインターフェース５０から抜き忘れている旨を、音声制御部７０及びスピーカ８０に発話させることによって、車両の使用者に報知する。そして、処理を終了する。
【００６０】
ここまで説明した本実施形態によれば、ＥＴＣ車載器１００が備えるＩＣカードインターフェース５０、アイドルストップ情報取得部３０、制御部６０等への電力供給は、電源部２０によって、内燃機関の始動及び停止に応じて開始及び停止される。故に、アイドルストップ制御部１０によって内燃機関が一時停止される所謂アイドルストップの状態にある場合には、ＥＴＣ車載器１００への電力の供給も停止される。故に、ＥＴＣ車載器１００の消費電力を低減することができる。
【００６１】
一方、音声制御部７０及びスピーカ８０によるＩＣカード１５が検知されていない旨の使用者への報知前に、内燃機関の始動がアイドルストップ後の始動であるか否かを判定する。故に、内燃機関の始動がアイドルストップ後の始動であると判定された場合には、制御部６０は、使用者への報知を停止することができる。故に、内燃機関がアイドルストップから始動された場合には、使用者への報知は成されない。これにより、内燃機関のアイドルストップ後において、ＥＴＣ車載器１００から、不要な報知が繰り返される事態は抑制される。
【００６２】
以上により、消費電力が低減されたうえで、不要な報知の繰り返しが抑制されたＥＴＣ車載器１００を実現できる。
【００６３】
加えて本実施形態では、内燃機関が停止すると、制御部６０は、ＩＣカード１５が検知されている旨を使用者に報知する前に、アイドルストップ情報取得部３０によって取得されたアイドルストップ情報に基づいて内燃機関の停止が一時停止であるか否かを判定する。内燃機関の停止が一時停止であると判定した場合に、制御部６０は、ＩＣカード１５が検知されている旨の使用者への報知を停止する。故に、ＩＣカード１５がＩＣカードインターフェース５０によって検知されている場合において、内燃機関が一時停止されたときは、音声制御部７０及びスピーカ８０による使用者への報知は成されない。これにより、内燃機関が一時停止した場合においても、ＥＴＣ車載器１００から、不要な報知が繰り返される事態は抑制される。
【００６４】
加えて、内燃機関の始動及び停止を制御しているアイドルストップ制御部１０によるアイドルストップ情報は正確である。故に本実施形態のように、アイドルストップ情報取得部３０がアイドルストップ制御部１０から正確なアイドルストップ情報を取得できることにより、制御部６０は、内燃機関の始動がアイドルストップからの始動である場合、及び内燃機関の停止がアイドルストップによる一時停止である場合に、使用者への不要な報知を確実に停止できる。したがって、内燃機関のアイドルストップによる一時停止の際及びアイドルストップ後の始動の際において、ＥＴＣ車載器１００から不要な報知が繰り返される事態は確実に防がれ得る。
【００６５】
また本実施形態では、アイドルストップ制御部１０からの稼動情報は、当該内燃機関が稼動状態にあるか停止状態にあるのかを正確に示し得る。故に、アイドルストップ制御部１０から取得した稼動情報に基づくことによれば、内燃機関がアイドルストップによって停止状態となった場合に、電源部２０は、ＥＴＣ車載器１００への電力供給を確実に停止させられる。したがって、ＥＴＣ車載器１００の消費電力の低減は、確実に図られ得る。
【００６６】
さらに本実施形態では、内燃機関がアイドルストップ状態から始動されて稼動状態となった場合に、電源部２０は、内燃機関からの正確な稼動情報に基づいて、アイドルストップ制御部１０への電力供給を開始する。ここで車両に搭載されたバッテリ１１と接続される電源部２０は、内燃機関が稼動状態にあるのか停止状態にあるのかにかかわらず、ＥＴＣ車載器１００に供給可能な電力をバッテリ１１から受けている。故に電源部２０は、内燃機関が稼動状態にあるという旨の稼動情報を取得すると、遅滞無くＥＴＣ車載器１００への電力供給を開始することができる。以上により、消費電力の低減が図られたＥＴＣ車載器１００であっても、内燃機関の稼働状態下における使い勝手の悪化は抑制される。
【００６７】
そして、音声による報知は、使用者にとって知覚し易い反面、繰り返された場合には煩わしく感じられ易い。故に、内燃機関のアイドルストップ後における報知を停止し、不要な報知が繰り返される事態を防ぎ得る効果は、ＩＣカード１５が検知できない旨の報知を音声によって使用者に行うＥＴＣ車載器１００において、有効に発揮されるのである。
【００６８】
尚、本記実施形態において、アイドルストップ制御部１０が請求項に記載の「機関制御装置」に、ＩＣカード１５が請求項に記載の「記憶媒体」に、電源部２０が請求項に記載の「電力供給手段」に、アイドルストップ情報取得部３０が請求項に記載の「始動情報取得手段」及び「停止情報取得手段」に、ＩＣカードインターフェース５０が請求項に記載の「検知手段」に、ＩＣカード挿入部が請求項に記載の「記憶媒体挿入部」に、制御部６０，音声制御部７０及びスピーカ８０による構成が請求項に記載の「報知手段」に、アイドルストップ情報が請求項に記載の「始動情報」及び「停止情報」に、ＥＴＣ車載器１００が請求項に記載の「狭域無線通信装置」に、それぞれ相当する。
【００６９】
（他の実施形態）
以上、本発明による複数の実施形態について説明したが、本発明は上記実施形態に限定して解釈されるものではなく、その趣旨を逸脱しない範囲内において種々の実施形態に適用することができる。
【００７０】
上記実施形態では、ＥＴＣ車載器１００は、アイドルストップ情報を内燃機関の始動及び停止を制御するアイドルストップ制御部１０から取得していた。しかし、内燃機関の始動がアイドルストップからの始動であるか否かの情報が取得できれば、アイドルストップ情報は、アイドルストップ制御部１０から取得する形態でなくてもよい。例えば、ＥＴＣ車載器は、車両に搭載されたコンビネーションメータを介して、アイドルストップ情報を取得する形態であってもよい。
【００７１】
上記実施形態では、内燃機関の始動及び停止に応じて、電源部２０に出力される信号のＨｉ／Ｌｏが切替られることに対応し、電源部２０が、バッテリ１１から受けた電力の各構成要素への供給の開始及び停止を制御していた。しかし、ＥＴＣ車載器は、バッテリ１１から直接的に電力の供給を受けない形態であってもよい。例えば、内燃機関の始動及び停止に応じて、当該内燃機関の制御装置が、ＥＴＣ車載器への電力供給を開始及び停止する形態であってもよい。
【００７２】
上記実施形態では、各構成要素におけるＥＴＣ車載器１００の電源ＯＦＦのための処理が終了するまで電源部２０は、各構成要素への電力の供給を継続していた。しかし、内燃機関の停止に対応して、ＥＴＣ車載器１００の各構成要素への電力供給を停止する電源部は、上記の形態に限られない。例えば、ＩＣカードインターフェース及びアイドルストップ情報取得部に補助的な電源部を設けることにより、これらは電源部からの電力の供給が停止した後も処理を継続可能になる。このように補助的な電源部を設けることにより、電源部は、内燃機関が停止した後、各構成要素における処理の終了を待つことなく、電力の供給を停止することができる。このように、内燃機関の停止と、電源部による電力供給の停止とが対応した形態のＥＴＣ車載器１００であってもよい。
【００７３】
上記実施形態では、電源部２０による電力供給が開始された直後、ＩＣカード１５を検知する為の一定の待ち時間が設けられていた。このように待ち時間を設けることで、内燃機関の始動後に車両の使用者がＩＣカード１５をＩＣカード挿入部に挿入した場合での、使用者への報知を中止することができた。しかし、ＥＴＣ車載器は、待ち時間が設定されていない形態、即ち、起動直後にＩＣカード１５が検知できているか否かを判定する形態であってもよい。
【００７４】
上記実施形態では、音声によってＩＣカード１５を検知していない旨の報知を車両の使用者に行う形態のＥＴＣ車載器１００について説明したが、使用者への報知は、音声以外の手段によって行われてもよい。例えば、使用者への報知は、コンビネーションメータに設けられたインジケータ又はＥＴＣ車載器に搭載した発光ダイオード等を点滅させることによってなされてもよい。
【００７５】
そして上記実施形態では、本発明をＥＴＣ車載器１００に適用した例に基づいて説明したが、本発明は、車両の外部の路側機との間で狭域無線通を行う種々のＤＳＲＣ車載器に適用することができる。
【符号の説明】
【００７６】
１０  アイドルストップ制御部（機関制御装置）、１１  バッテリ、１２  イグニッションスイッチ、１５  ＩＣカード（記憶媒体）、２０  電源部（電力供給手段）、３０  アイドルストップ情報取得部（始動情報取得手段・停止情報取得手段）、４０  通信回路部、４１  アンテナ、５０  ＩＣカードインターフェース（検知手段）、６０  制御部（報知手段）、７０  音声制御部（報知手段）、８０  スピーカ（報知手段）、１００  ＥＴＣ車載器（狭域無線通信装置）
【図１】
2011238184.tif 000003
【図２】
2011238184.tif 000004
【図３】
2011238184.tif 000005
【図４】
2011238184.tif 000006
【図５】
2011238184.tif 000007